(57)【特許請求の範囲】
【請求項１】
天板の所定箇所に開口が形成されるとともに、該開口の下方にはシート状の支持部材が設けられ、この支持部材によりコンピュータの入力装置を包囲するように収納出来るように構成されるとともに、この支持部材の少なくとも一部が、引き上げ手段を介して上方に引き上げ自在に設けられていることを特徴とするコンピュータの入力装置等を内蔵する机。
【請求項２】
前記支持部材の一端側を机の所定箇所に固定的に取付けられているとともに、他端側を上方に引き上げ自在に取り付けられている請求項１に記載のコンピュータの入力装置等を内蔵する机。
【請求項３】
前記引き上げ手段は、前記開口を開閉自在に設けられた開閉天板であり、前記開閉天板を開放することで前記支持部材の一部が上方に引き上げられるようになっている請求項１または２に記載のコンピュータの入力装置等を内蔵する机。
【請求項４】
前記コンピュータの入力装置を略上下方向を向く状態で包囲して収納出来るようにした請求項１〜３のいずれかに記載のコンピュータの入力装置等を内蔵する机。
【請求項５】
前記天板の下面における前記支持部材の前側には、前記支持部材により収納されたコンピュータの入力装置を、その上端側が下端側より前方に傾斜するように支持する傾斜壁が設けられている請求項１〜４のいずれかに記載のコンピュータの入力装置等を内蔵する机。
【請求項６】
前記天板における前記開口の後方所定箇所に、コンピュータのディスプレイ装置を収納するディスプレイ収納部が設けられているとともに、該ディスプレイ収納部内には、前記ディスプレイを前記ディスプレイ収納部内と前記天板上方との間で昇降させる昇降装置が設けられている請求項１〜５のいずれかに記載のコンピュータの入力装置等を内蔵する机。
置を内蔵する机。
【発明の詳細な説明】
【０００１】
【発明の属する技術分野】
本発明は、主にコンピュータの入力装置等を内蔵する机に関し、特に、コンピュータの入力装置等の出し入れを容易に行うことが出来るようにしたコンピュータの入力装置等を内蔵する机に関する。
【０００２】
【従来の技術】
従来、コンピュータの非使用時において天板上にあるコンピュータの入力装置等が邪魔にならないように、天板に設けた開口内にコンピュータの入力装置等を収納出来るようにした机としては、例えば実開平２−６６１３０号公報等に記載されている机等があった。
【０００３】
【発明が解決しようとする課題】
しかしながら、上記机にあっては、コンピュータの入力装置は天板の下方に収納されるため、コンピュータの入力装置を使用する際において取り出しにくいといった問題があった。
【０００４】
そこで、例えば前記収納部内に昇降装置等を設けて、使用時において収納されたコンピュータの入力装置を上昇させるようにすること等も考えられるが、装置が大がかりとなり、コストが嵩むといった問題があった。
【０００５】
本発明は、このような問題点に着目してなされたもので、昇降装置等の大がかりな装置を用いることなく、使用時においてコンピュータの入力装置を容易に取り出すことが出来るコンピュータの入力装置を内蔵する机を提供することを目的とする。
【０００６】
【課題を解決するための手段】
上記課題を解決するために、本発明のコンピュータの入力装置等を内蔵する机は、天板の所定箇所に開口が形成されるとともに、該開口の下方にはシート状の支持部材が設けられ、この支持部材によりコンピュータの入力装置を包囲するように収納出来るように構成されるとともに、この支持部材の少なくとも一部が、引き上げ手段を介して上方に引き上げ自在に設けられていることを特徴としている。
この特徴によれば、開口の下方に収納されたコンピュータの入力装置を取り出す場合において、引き上げ手段により支持部材の一部を上方に引き上げることでコンピュータの入力装置が収納位置から上昇するため、天板の下方に収納されたコンピュータの入力装置を、大がかりな装置等を用いることなく、容易に取り出すことが出来る。
【０００７】
本発明のコンピュータの入力装置等を内蔵する机は、前記支持部材の一端側を机の所定箇所に固定的に取付けられているとともに、他端側を上方に引き上げ自在に取り付けられていることが好ましい。
このようにすれば、引き上げ手段による支持部材の引き上げとともにシート状の支持部材が開放するため、コンピュータの入力装置を容易に取り出すことが出来る。
【０００８】
本発明のコンピュータの入力装置等を内蔵する机は、前記引き上げ手段は、前記開口を開閉自在に設けられた開閉天板であり、前記開閉天板を開放することで前記支持部材の一部が上方に引き上げられるようになっていることが好ましい。このようにすれば、開閉天板の開放に伴ってコンピュータの入力装置が上昇することになるので、開閉天板の開放操作のみでコンピュータの入力装置を容易に取り出すことが出来るようになる。
【０００９】
本発明のコンピュータの入力装置等を内蔵する机は、前記コンピュータの入力装置を略上下方向を向く状態で包囲して収納出来るようにしたことが好ましい。このようにすれば、コンピュータの入力装置を、天板の下方において使用者の脚等の邪魔になることがないようにコンパクトに収納することが出来る。
【００１０】
本発明のコンピュータの入力装置等を内蔵する机は、前記天板の下面における前記支持部材の前側には、前記支持部材により収納されたコンピュータの入力装置を、その上端側が下端側より前方に傾斜するように支持する傾斜壁が設けられていることが好ましい。
このようにすれば、コンピュータの入力装置を引き上げる際に、コンピュータの入力装置が傾斜壁に案内されて使用者側に向けて上昇することになるため、取り出しを容易に行うことが出来るとともに、傾斜壁によって、支持部材により収納されたコンピュータの入力装置への使用者の脚がぶつかるのが効果的に防止される。
【００１１】
本発明のコンピュータの入力装置等を内蔵する机は、前記天板における前記開口の後方所定箇所に、コンピュータのディスプレイ装置を収納するディスプレイ収納部が設けられているとともに、該ディスプレイ収納部内には、前記ディスプレイを前記ディスプレイ収納部内と前記天板上方との間で昇降させる昇降装置が設けられていることが好ましい。
このようにすれば、コンピュータの入力装置をディスプレイ装置の近傍に収納しておくことが出来るため、配線処理等を容易に行うことが出来る。
【００１２】
【発明の実施の形態】
以下、本発明の実施例を図面に基づいて説明すると、まず図１には本発明の実施例としてのコンピュータの入力装置を内蔵する机１（以後、机と省略する）の外観斜視図が示されており、天板２上には、コンピュータの入力装置であるキーボード２０やマウス２１、ディスプレイ２２が後述する収納部から取り出されている状態が示されている。また、図１中手前側が使用者が着席する側となっている。
【００１３】
図１に示されるように、本実施例における机１は、平面視略台形の天板２と、天板２の下部に設けられ、机１の左右に配置されている側板３、３と、左右の側板３、３間に配置される底板４と、から主に構成されている。
【００１４】
天板２の略中央部には、図２に示されるように、キーボード２０やマウス２１を天板２の下方に収納可能とするための平面視略長方形の開口３２が、机１の左右方向を向くように形成されているとともに、この開口３２の下方には、前記キーボード２０やマウス２１を収納する収納部３０が形成されている。
【００１５】
開口３２は、該開口３２の後端縁に設けられた蝶番を介して回動自在に取り付けられた開閉板としての開閉板５により開閉自在とされており、詳しくは開閉板５は、開口３２の閉塞時においてその上面が天板２の上面とほぼ面一となり、天板２の上面の一部を構成するように取付けられている。また、開閉板５の左右の短縁手前側には、左右側及び前側に開放する切欠部６が形成されており、開閉板５を上方へ開成させる際に手指を挿入できるとともに、開閉板５により開口３２を閉塞した状態において、キーボード２０やマウス２１とコンピュータ本体とを接続するケーブルを引き出すことが出来るようになっている。なお、収納部３０の詳細な構造は後述する。
【００１６】
図３に示されるように、天板２の下方における後部側には、コンピュータのディスプレイ２２を収納するディスプレイ収納部４０が形成されている。ディスプレイ収納部４０内には後述する昇降装置７０が設けられており、ディスプレイ２２は昇降自在に収納されており、使用時においては、天板２におけるディスプレイ収納部４０の上方位置に形成された開口４１を介して天板２の上方まで上昇されて使用できるようになっている。
【００１７】
開口４１は、該開口４１の後端縁に設けられた蝶番を介して回動自在に取り付けられた開閉板５により開閉自在とされており、詳しくは開閉板５は、開口４１の閉塞時においてその上面が天板２の上面とほぼ面一となり、天板２の上面の一部を構成するように取付けられている。
【００１８】
次いで、前記ディスプレイ収納部４０の内部に設けられているディスプレイ昇降装置７０について図３に基づいて説明すると、ディスプレイ昇降装置７０は、ディスプレイ２２を載置する載置台７１と、ディスプレイ２２を昇降するモータ７２と、モータ７２の駆動を伝達するベルト８０が掛け回された駆動スプロケットと、従動スプロケットと、からなるスプロケット７４と、複数のスプロケット７４に掛け回されるチェーン７３と、から主に構成されている。チェーン７３の所定箇所には、載置台固定片７５を介して載置台７１が固定されており、モータ７２を駆動させることによりチェーン７４が回動して載置台７１が昇降するようになっている。
【００１９】
また、特に詳細な図示はしないが、載置台７１の後部左右側所定箇所には、ローラ７８が外向きに設けられた取付板７６が設けられており、これらローラ７８が、ディスプレイ収納部４０の左右側壁を構成する左右の仕切り板８の内面に固定されている断面略コ字状をなす上下方向を向く案内レール７７内を上下方向に摺動出来るように設けられているため、載置台７１がスムーズに昇降するように案内されるように構成されている。
【００２０】
このディスプレイ昇降装置７０は、図５に示されるように、後述するディスプレイ昇降操作スイッチ７９が操作されることにより昇降するようになっている。ディスプレイ２２を使用する場合、まず開閉板７を開放した後、ディスプレイ昇降操作スイッチ７９を上昇操作する。すると、図３に示されるように、モータ７２の駆動によりチェーン７３が時計回りに回動して載置台７１が上昇し、載置台７１の上面が天板２の上面と同位置となる位置においてモータ７２の駆動が停止するようになっており、ディスプレイ２２を天板２上において使用できる状態となる。
【００２１】
また、ディスプレイ２２をディスプレイ収納部４０内に収納する場合は、使用状態において、ディスプレイ昇降操作スイッチ７９を下降操作することで、図３に示されるように、モータ７２が上昇時とは逆駆動し、チェーン７３が反時計回りに回動して載置台７１が下降し、ディスプレイ２２が天板２の下方に収納される。その後、開閉板７を閉塞させればよい。
【００２２】
ここでは、開閉板７は、ディスプレイ昇降装置７０の駆動とは関係なく手で開閉するようになっているが、例えば、ディスプレイ昇降装置７０によるディスプレイ２２の昇降に伴い、開閉板７が開成、閉塞するようにしてもよい。
【００２３】
天板２の下方におけるディスプレイ収納部４０の左右側には、図１〜図３に示されるように、前述したようにディスプレイ収納部４０の左右側にそれぞれ設けられた仕切板８、８と、左右それぞれの側板３、３とに挟まれるように、前記入力装置であるキーボード２０やマウス２１等が接続されるコンピュータ本体２３等を収納可能な本体収納部５０が形成されており、机１の前方から見て左側の本体収納部５０の前面及び後面は、扉１０、１１を介して開閉自在に閉塞されているとともに、机１の前方から見て右側の本体収納部５０の後面は、扉１１を介して開閉自在に閉塞されており、それぞれの本体収納部５０内にコンピュータ本体２３等を机１の前方または後方から収納できるようになっている。
【００２４】
次いで、前述したキーボード２０やマウス２１等を収納する収納部３０について説明すると、図３及び図４に示されるように、収納部３０は、前記ディスプレイ収納部４０の前側に設けられる。そして収納部３０は、天板２の下面における前記開口３２の前端縁に上端が当接するとともに、その下端が下端よりも机１の後方に向けて傾斜するように設けられる傾斜板３０ａと、この傾斜板３０ａの下端から後方に向けて延びる底板３０ｂと、ディスプレイ収納部４０の前面を構成する幕板９の上部と、から、側面視略台形状に構成されている。
【００２５】
収納部３０内には、図４及び図５に示されるように、支持部材としての網状のネット６０が設けられており、キーボード２０やマウス２１が、ネット６０により包囲されるように支持されて収納されるようになっている。
【００２６】
詳しくはネット６０は、樹脂繊維材により全体が略長方形状に構成されており、その前端縁を傾斜板３０ａの上端部に、また、その後端縁を、開閉板５の下面における前方所定箇所に、左右方向に延びる固定部材６１を介して固定されており、図４（ａ）に示されるように、キーボード２０やマウス２１を収納する際において、キーボード２０やマウス２１を前後方向から包み込むように折り畳まれた状態で支持することが出来るとともに、キーボード２０やマウス２１を収納部３０から取り出す際においては、図４（ｂ）に示されるように、開閉板５を開成することによりネット６０の後端縁が上方に引き上げられるように設けられている。すなわち、本実施例においては、前記開閉板５が支持部材としてのネット６０の引き上げ手段として構成されている。
【００２７】
なお、本実施例においては、支持部材として樹脂繊維材からなるネット６０が適用されているが、支持するキーボード２０やマウス２１の重量に十分耐えられるものであれば材質は樹脂繊維材に限定されるものではなく、布材等で構成されていてもよい。また、ここでは網状のネット６０が適用されているが、キーボード２０やマウス２１を包み込むように支持できるものであれば、網状でないシート材でもよい。
【００２８】
収納部３０の後面を構成する幕板９における左側所定箇所には、キーボード２０やマウス２１から延設されるケーブルを挿通する挿通穴３１が形成されており、収納部３０内からこの挿通穴３１を介してケーブルを幕板９の後方に引き出し、さらに仕切り板８の所定箇所に形成された挿通穴３３（図３参照）を介して本体収納部５０内のコンピュータ本体２３に接続出来るようになっている。
【００２９】
次に、収納部３０内に収納されているキーボード２０やマウス２１を使用する際に天板２上へ取り出す際の作用について図４に基づいて説明する。
【００３０】
キーボード２０及びマウス２１は、前述したように収納部３０内へ収納された状態において、図４（ａ）に示されるように、支持部材としてのネット６０により包囲され、かつ、収納部３０内において、開閉板５から吊り下げられた状態で支持されることになる。
【００３１】
この状態において、キーボード２２の底面が傾斜壁としての傾斜板３０ａの内面に当接され、キーボード２２の上下端が前後方向に傾斜した状態で収納されるように案内されている。よって、キーボード２２は略上下方向を向く状態でコンパクトに収納されることになるため、天板２の下方に設けた収納部３０が、使用者の脚等の邪魔になることがない。
【００３２】
また、キーボード２０やマウス２１は、天板２の下方において、ネット６０により包囲された状態で吊り下げられるようにして収納されるので、天板２の開口３２から収納部３０内に収納した際において、キーボード２０等が傾斜壁３０ａ等に接触して損傷すること等が防止される。
【００３３】
さらに、ネット６０により収納されたキーボード２２の前方に、収納部３０の前面を構成する傾斜板３０ａが設けられていることにより、使用者の脚等がキーボード２２にぶつかることによる損傷等が防止される。
【００３４】
次にキーボード２２を天板２上で使用する際には、まず、開閉板５の切欠部６に手指を挿入し、引き上げ手段としての開閉板５を上方へ開成する。すると、図４（ｂ）に示されるように、ネット６０の後端縁が上方に引き上げられ、ネット６０に包囲されているキーボード２０が、傾斜板３０ａの内面上に沿うように、すなわち、使用者側に近づくように上方へ移動する。そして開閉板５がほぼ上下方向を向く位置まで開成されると、上方へ移動したキーボード２０の上端部が天板２の上面より上方に突出する。よって、使用者は手を収納部３０内に深く差し込むようにしてキーボード２２を取り出すことなく、キーボード２０の上端部を手指で掴めば天板２上へ取り出すことが出来る。
【００３５】
このように、開口３２の下方に収納されたキーボード２０を取り出す場合において、引き上げ手段としての開閉板５を開成することにより支持部材としてのネット６０の一部を上方に引き上げることで、キーボード２０が収納位置から上昇するため、天板２の下方に収納されたキーボード２０を、大がかりな装置等を用いることなく、容易に取り出すことが出来る。
【００３６】
また、ネット６０の前端縁が傾斜壁３０ａの上端部近傍に固定的に取り付けられるとともに、後端側が開閉板５の下面に取り付けられているため、開閉板５の開成操作によりネット６０の一端側のみが上方に引き上げられるように設けられているため、収納時に折り畳まれた状態にあるネット６０が開閉板５の開成操作に伴い前方に開放するため、使用者はキーボード２０等を簡単に取り出すことが出来るとともに、開閉板５の開放操作のみでキーボード２０を上昇させることが出来る。
【００３７】
キーボード２２を収納部３０内から取り出した後は、開閉板５により開口３２を閉塞すれば、開閉板５の上面と天板２の上面とがほぼ面一となるので、天板２上を有効な作業領域として使用することが出来る。また、キーボード２０やマウス２１に接続されているケーブルは、開閉板５により開口３２を閉塞した状態においても切欠部６を通して天板２上へ引き出すことが出来る。
【００３８】
また、このようなコンピュータの入力装置としてのキーボード２０やマウス２１を収納する収納部３０は、ディスプレイ２２を収納する収納部４０の前方位置に設けられているため、配線処理等を容易に行うことが出来る。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
上記実施例では、引き上げ手段としての開閉板５を開成することによりネット６０の後端縁が上方に引き上げられて、キーボード２０の一部が天板２の上面から突出する状態まで上方に移動するようになっていたが、本発明にあっては、引き上げ手段としての開閉板５を開成することによりネット６０の後端縁が上方に引き上げられて、天板２の下方に収納されているキーボード２０が天板２に向かって上昇するようになっていれば、必ずしもキーボード２０の一部が天板２の上面から突出する状態まで上方に移動しなくてもよい。
【００４１】
また、本発明においては、支持部材としてのネット６０により包囲されるようにキーボード２２等のコンピュータ機器を天板２の下方に収納できるようになっていれば、上記実施例の傾斜板３０ａ、３０ｂ、幕板９等によりその周囲を覆うように収納部３０が構成されていなくてもよい。
【００４２】
また、本発明において収納の対象となるのはコンピュータの入力装置としてのキーボード２０のみならず、シート状の支持部材により包囲するように支持して収納出来るものであれば、例えば上記実施例に示したようなマウスや、その他薄形のコンピュータ（いわゆるノートブック型パソコン）等も収納可能である。
【００４３】
【発明の効果】
本発明は以下の効果を奏する。
【００４４】
（ａ）請求項１項の発明によれば、開口の下方に収納されたコンピュータの入力装置を取り出す場合において、引き上げ手段により支持部材の一部を上方に引き上げることでコンピュータの入力装置が収納位置から上昇するため、天板の下方に収納されたコンピュータの入力装置を、大がかりな装置等を用いることなく、容易に取り出すことが出来る。
【００４５】
（ｂ）請求項２項の発明によれば、引き上げ手段による支持部材の引き上げとともにシート状の支持部材が開放するため、コンピュータの入力装置を容易に取り出すことが出来る。
【００４６】
（ｃ）請求項３項の発明によれば、開閉天板の開放に伴ってコンピュータの入力装置が上昇することになるので、開閉天板の開放操作のみでコンピュータの入力装置を容易に取り出すことが出来るようになる。
【００４７】
（ｄ）請求項４項の発明によれば、コンピュータの入力装置を、天板の下方において使用者の脚等の邪魔になることがないようにコンパクトに収納することが出来る。
【００４８】
（ｅ）請求項５項の発明によれば、コンピュータの入力装置を引き上げる際に、コンピュータの入力装置が傾斜壁に案内されて使用者側に向けて上昇することになるため、取り出しを容易に行うことが出来るとともに、傾斜壁によって、支持部材により収納されたコンピュータの入力装置への使用者の脚がぶつかるのが効果的に防止される。
【００４９】
（ｆ）請求項６項の発明によれば、コンピュータの入力装置をディスプレイ装置の近傍に収納しておくことが出来るため、配線処理等を容易に行うことが出来る。
【図面の簡単な説明】
【図１】本発明の適用されたコンピュータの入力装置を内蔵する机の外観を示す斜視図である。
【図２】図１の机の平面図である。
【図３】図２のＡ−Ａ断面図である。
【図４】本発明の収納部における作用を示す図である。
【図５】収納部からキーボードを取り出した状態を示す斜視図である。
【符号の説明】
１        机（コンピュータの入力装置を内蔵する机）
２        天板
３        側板
４        底板
５        開閉板（引き上げ手段）
６        切欠部
７        開閉板（開閉天板）
９        幕板
１０      扉
２０      キーボード（コンピュータの入力装置）
２１      マウス
２２      ディスプレイ
２３      コンピュータ本体
３０ａ    傾斜板（傾斜壁）
３０      収納部
３０ｂ    底板
３１      挿通穴
３２      開口
３３      挿通穴
４０      ディスプレイ収納部
４１      開口
５０      本体収納部
６０      ネット（支持部材）
６１      固定部材
７０      ディスプレイ昇降装置
７１      載置台
７２      モータ
７３      チェーン
７４      スプロケット
７５      載置台固定片
７６      取り付け板
７７      案内レール
７８      ローラ
７９      ディスプレイ昇降操作スイッチ
８０      プーリ
【図１】
0003966725.tif 000002
【図２】
0003966725.tif 000003
【図３】
0003966725.tif 000004
【図４】
0003966725.tif 000005
【図５】
0003966725.tif 000006